(57)【要約】  正規化処理回路（９７−ｍ）は、Ａ／Ｄ変換器（９０−ｍ）からの複素復調信号の複素平面上での位置の正規化を行い、正規化後の正規化複素復調信号を複数次元特徴抽出器（９４−ｍ）に出力する。複数次元特徴抽出器（９４−ｍ）は、人侵入時に変化する特徴量（ｆｍ−１）と、風雨時に変化する特徴量（ｆｍ−２）と、空間的に孤立した強電界領域が存在するときに変化する特徴量（ｆｍ−３）を算出する。識別器（９６−ｍ）は、３次元の特徴量（ｆｍ−１、ｆｍ−２、ｆｍ−３）に基づいて、人が侵入したことを識別する。
2011102029.tif 000002
【特許請求の範囲】
【請求項１】
所定の送信信号を発生して、送信アンテナ装置を用いて無線送信する送信手段と、
上記送信された送信信号を、上記送信アンテナ装置に対向して設けられた受信アンテナ装置を用いて無線受信し、上記無線受信した受信信号を、上記送信信号を用いて直交検波して複素復調信号に復調する受信手段とを備えた侵入物識別装置において、
上記送信アンテナ装置と上記受信アンテナ装置との間に侵入物が侵入していない定常状態における複素復調信号を用いて、入力される複素復調信号の複素平面上の位置を正規化して正規化複素復調信号を発生する正規化手段と、
上記正規化複素復調信号の複数次元の特徴量を算出する複数次元特徴抽出手段と、
上記算出された複数次元の特徴量に基づいて、上記送信アンテナ装置と上記受信アンテナ装置との間に侵入物が侵入したか否かを、上記複数次元の特徴量の各軸により形成されかつ上記送信アンテナ装置と上記受信アンテナ装置との間に侵入物が侵入したか否かを識別するための境界である所定の識別面を用いて識別し、当該識別結果を示す識別信号を出力する識別手段とを備えたことを特徴とする侵入物識別装置。
【請求項２】
上記複数次元特徴抽出手段は、
上記正規化複素復調信号に基づいて、上記送信アンテナ装置と上記受信アンテナ装置との間に侵入物が侵入したときに変化する第１の特徴量を算出する第１の特徴抽出手段と、
上記正規化複素復調信号に基づいて、上記送信アンテナ装置と上記受信アンテナ装置との間の空間が風雨にさらされたときに変化する第２の特徴量を算出する第２の特徴抽出手段とを備え、
上記識別手段は、上記算出された第１及び第２の特徴量に基づいて、上記送信アンテナ装置と上記受信アンテナ装置との間に侵入物が侵入したか否かを識別することを特徴とする請求項１記載の侵入物識別装置。
【請求項３】
上記送信アンテナ装置は、３個以上の複数の送信アンテナを備え、
上記受信アンテナ装置は、３個以上の複数の受信アンテナを備え、
上記送信手段は、上記送信信号を上記複数の送信アンテナを用いて無線送信し、
上記受信手段は、上記複数の送信アンテナから送信された送信信号を上記複数の受信アンテナを用いてそれぞれ無線受信し、上記無線受信した各受信信号を複数の複素復調信号に復調し、
上記侵入物識別装置は、
上記複数の複素復調信号をそれぞれ入力する複数の上記正規化手段と、
上記複数の正規化手段のうちの所定の複数の正規化手段からの複数の上記正規化複素復調信号を入力する複数の上記複数次元特徴抽出手段と、
上記複数の複数次元特徴抽出手段からの上記複数次元の特徴量をそれぞれ入力する複数の上記識別手段とを備え、
上記各複数次元特徴抽出手段は、
上記入力された複数の正規化複素復調信号のうちの所定の１つの正規化複素復調信号に基づいて、当該所定の１つの正規化複素復調信号に対応する送信アンテナと受信アンテナとの間に侵入物が侵入したときに変化する第１の特徴量を算出する第１の特徴抽出手段と、
上記所定の１つの正規化複素復調信号に基づいて、上記所定の１つの正規化複素復調信号に対応する送信アンテナと受信アンテナとの間の空間が風雨にさらされたときに変化する第２の特徴量を算出する第２の特徴抽出手段と、
上記入力された複数の正規化複素復調信号に基づいて、上記複数の送信アンテナと上記複数の受信アンテナとの間の空間のうち、上記所定の１つの正規化複素復調信号に対応する送信アンテナと受信アンテナとの間の空間において、他の空間よりも空間的に孤立した強電界領域が存在するときに変化する第３の特徴量を算出する第３の特徴抽出手段とを備え、
上記各識別手段は、上記算出された第１乃至第３の特徴量に基づいて、上記所定の１つの正規化複素復調信号に対応する送信アンテナと受信アンテナとの間に侵入物が侵入したか否かを識別することを特徴とする請求項１記載の侵入物識別装置。
【請求項４】
上記送信手段は、上記送信信号を擬似雑音符号を用いてスペクトル拡散して上記複数の送信アンテナを用いて無線送信し、
上記受信手段は、上記擬似雑音符号を互いに異なる複数の遅延時間だけ遅延させて複数の遅延擬似雑音符号を発生し、上記無線受信した各受信信号を上記複数の遅延擬似雑音符号を用いてそれぞれ逆拡散して複数の逆拡散受信信号を発生し、上記各逆拡散受信信号を上記送信信号を用いて直交検波して上記複数の複素復調信号に復調することを特徴とする請求項３記載の侵入物識別装置。
【請求項５】
上記送信アンテナ装置は第１の漏洩同軸ケーブルであり、
上記受信アンテナ装置は第２の漏洩同軸ケーブルであることを特徴とする請求項３又は４記載の侵入物識別装置。
【発明の詳細な説明】
【技術分野】
【０００１】
本発明は、警戒領域内に侵入物が侵入したことを、電波を用いて識別する侵入物識別装置に関する。
【背景技術】
【０００２】
近年、治安の悪化に伴い、セキュリティ意識が急速に高まってきている。特に物理セキュリティは、空港又は発電所などの大規模な施設だけでなく、一般企業、商業施設又は公共施設などの様々な施設に導入されている。従来の物理セキュリティでは、施設のゲートにおける入退室管理が主流であったが、最近では施設の敷地全体を対象とした監視が主流になりつつある。警備を必要とする所定の監視領域に侵入する侵入者を検知する従来のシステムとして、特許文献１記載の侵入検知システム及び特許文献２記載の対象物検出装置が知られている。【０００３】
特許文献１記載の侵入検知システムは、検知領域に設置された複数のアンテナと、この複数のアンテナのうちのいずれか１つのアンテナから信号を送出させる送信器と、残りの他の前記アンテナが受信した前記信号を検出する受信器と、この受信器で検出された信号に生じる変化量を検出する計算器と、この変化量を基にして前記検知領域への侵入の有無を判断する判定器とを備えて構成されたことを特徴としている。ここで、判定器は、計算器で検出された信号に生じる振幅変化及び位相変化のうちの少なくとも一方が所定値以上の場合に検知領域への侵入があったと判断する。【０００４】
また、特許文献２記載の対象物検出装置は、送信ケーブルと、受信ケーブルと、該送信ケーブルに接続し該送信ケーブルに高周波電流を送出する送信部と、該受信ケーブルに接続した受信部とを備え、該送信ケーブルから送出されている電磁波を該受信ケーブルにて受信すると共に、該受信ケーブルにて受信する電磁波の強さの変化に基づいて対象物の有無を検出する対象物検出装置において、該送信部には該送信ケーブルに発生する定在波を変化させる手段が設けられていることを特徴としている。具体的には、特許文献２記載の対象物検出装置は、受信部により受信電流強度の減少量が所定のしきい値を越えたことが検出されたときに、埋設された受信ケーブルの上を侵入者が通過したと判断する。
【先行技術文献】
【特許文献】
【０００５】
【特許文献１】特開平５−２６９０号公報。
【特許文献２】特許第３１１０１１２号公報。
【非特許文献】
【０００６】
【非特許文献１】Emanuel Parzen, "On Estimation of a Probability Density Function and Mode", Annals of Mathematical Statistics, Vol. 33, No. 3, pp. 1065-1076, 1962.
【非特許文献２】甘利俊一ほか、「パターン認識と学習の統計学」、４１頁〜４３頁、岩波書店、２００３年４月１日発行。
【発明の概要】
【発明が解決しようとする課題】
【０００７】
しかしながら、特許文献１に係る侵入検知システム及び特許文献２に係る対象物検出装置によれば、風雨などの自然現象によって引き起こされる電波変動時にも、侵入者の侵入を知らせる警報を誤って発することがあった。例えば、特許文献１では、風雨時に受信器で検出された信号に生じる変化量が予め設定された所定のしきい値よりも大きいときには、誤発報してしまうという課題があった。また、特許文献２においても、風雨時の受信電流強度の減少量が所定のしきい値を越えたときには、誤発報してしまうという課題があった。【０００８】
本発明の目的は以上の問題点を解決し、風雨などの自然現象よって環境が変化しても、侵入物が侵入したことを、従来技術に比較して正確に識別できる侵入物識別装置を提供することにある。
【課題を解決するための手段】
【０００９】
本発明に係る侵入物識別装置は、所定の送信信号を発生して、送信アンテナ装置を用いて無線送信する送信手段と、上記送信された送信信号を、上記送信アンテナ装置に対向して設けられた受信アンテナ装置を用いて無線受信し、上記無線受信した受信信号を、上記送信信号を用いて直交検波して複素復調信号に復調する受信手段とを備えた侵入物識別装置において、上記送信アンテナ装置と上記受信アンテナ装置との間に侵入物が侵入していない定常状態における複素復調信号を用いて、入力される複素復調信号の複素平面上の位置を正規化して正規化複素復調信号を発生する正規化手段と、上記正規化複素復調信号の複数次元の特徴量を算出する複数次元特徴抽出手段と、上記算出された複数次元の特徴量に基づいて、上記送信アンテナ装置と上記受信アンテナ装置との間に侵入物が侵入したか否かを、上記複数次元の特徴量の各軸により形成されかつ上記送信アンテナ装置と上記受信アンテナ装置との間に侵入物が侵入したか否かを識別するための境界である所定の識別面を用いて識別し、当該識別結果を示す識別信号を出力する識別手段とを備えたことを特徴とする。
【発明の効果】
【００１０】
本発明に係る侵入物識別装置によれば、送信アンテナ装置と受信アンテナ装置との間に侵入物が侵入していない定常状態における複素復調信号を用いて、入力される複素復調信号の複素平面上の位置を正規化して正規化複素復調信号を発生する正規化手段と、正規化された複素復調信号の複数次元の特徴量を抽出する複数次元特徴抽出手段とを備えたので、従来技術に係るしきい値処理を用いる侵入物識別装置に比較して、誤発報を低減して、正確に侵入物が侵入したことを識別できる。
【図面の簡単な説明】
【００１１】
【図１】本発明の実施の形態に係る侵入物識別装置１の構成を示すブロック図である。
【図２】図１の侵入物識別回路９の構成を示すブロック図である。
【図３】図１の侵入物識別装置１と、人１０１と、雨１０２とを示すブロック図である。
【図４】図１の送信アンテナ４−ｍ（ｍ＝１，２，…，Ｍ）と受信アンテナ６−ｍとの間に人１０１が侵入したときに、ローパスフィルタ８６−ｍから出力される複素復調信号を複素平面上に示すグラフである。
【図５】図１の送信アンテナ４−ｍと受信アンテナ６−ｍとの間の空間が風雨にさらされたときに、ローパスフィルタ８６−ｍから出力される複素復調信号を複素平面上に示すグラフである。
【図６】図２の侵入物識別回路９において算出される特徴量ｆ１−ｎ（ｎ＝２，３，…，Ｍ−１）を示す式（３）の角速度θｎ（ｊ）と正規化複素復調信号ｄａｎ（ｊ）との関係を示すグラフである。
【図７】上記式（３）の関数Ψ（θｎ（ｊ）−θｎ（ｊ−１））を示すグラフである。
【図８】図２の識別器９６−ｎにおいて用いられる３次元の特徴空間における識別面Ｐｎを示すグラフである。
【発明を実施するための形態】
【００１２】
実施の形態．
以下、本発明に係る実施の形態について図面を参照して説明する。図１は、本発明の実施の形態に係る侵入物識別装置１の構成を示すブロック図であり、図２は、図１の侵入物識別回路９の構成を示すブロック図である。また、図３は、図１の侵入物識別装置１と、人１０１と、雨１０２とを示すブロック図である。図１において、侵入物識別装置１は、ＰＮ（Ｐｓｅｕｄｏ  Ｎｏｉｓｅ（擬似雑音））符号発生器２と、無線送信回路３と、送信アレーアンテナ４と、受信アレーアンテナ６と、終端器５及び７と、無線受信回路８と、侵入物識別回路９と、警報装置１０とを備えて構成される。さらに、無線送信回路３は、信号発生器３１と乗算器３２とを備えて構成され、無線受信回路８は、３個以上の複数Ｍ個の復調回路８７−１〜８７−Ｍを備えて構成される。ここで、各復調回路８７−ｍ（ｍ＝１，２，…，Ｍ）は、遅延器８２−ｍと、乗算器８３−ｍと、帯域通過フィルタ８４−ｍと、直交検波器８５−ｍと、低域通過フィルタ（Ｌｏｗｐａｓｓ  Ｆｉｌｔｅｒ（ＬＰＦ））８６−ｍとを備えて構成される。
【００１３】
詳細後述するように、本実施の形態に係る侵入物識別装置１は、
（ａ）所定の送信信号を発生し、上記送信信号をＰＮ符号を用いてスペクトル拡散し、Ｍ個の送信アンテナ４−１〜４−Ｍを備えた送信アレーアンテナ４を用いて無線送信する無線送信回路３と、
（ｂ）送信された送信信号を、Ｍ個の受信アンテナ６−１〜６−Ｍを備えた受信アレーアンテナ６を用いて受信し、ＰＮ符号を互いに異なる複数の遅延時間だけ遅延させて複数の遅延ＰＮ符号を発生し、上記無線受信した受信信号を上記複数の遅延ＰＮ符号を用いて逆拡散して複数の逆拡散受信信号を発生し、上記各逆拡散受信信号を上記送信信号を用いて直交検波して複数の複素復調信号に復調する無線受信回路８と、
（ｃ）無線受信回路８からの複数の複素復調信号をそれぞれ入力し、非風雨時であって、かつ、人１０１（侵入物である。）の非侵入時である定常状態における複素復調信号を基準信号として用いて、入力された複素復調信号の複素平面上の位置を正規化して正規化複素復調信号を発生する正規化器９７−１〜９７−Ｍと、
（ｄ）正規化器９７−１〜９７−Ｍのうちの各３個の正規化器からの３個の正規化複素復調信号を入力して、当該入力された３個の正規化複素復調信号に基づいて、３次元の特徴量を抽出する複数次元特徴抽出器９８−２〜９８−Ｍ−１と、
（ｅ）複数次元特徴抽出器９８−２〜９８−Ｍ−１からの複数次元の特徴量をそれぞれ入力し、抽出された特徴量に基づいて人１０１が侵入したか否かを所定の識別面Ｐｍを用いて識別し、識別結果を示す識別信号Ｓ９６−２〜Ｓ９６−Ｍ−１を出力する識別器９６−２〜９６−Ｍ−１とを備えたことを特徴としている。
【００１４】
さらに、各複数次元特徴抽出器９８−ｎ（ｎ＝２，３，…，Ｍ−１）は、
（ａ）正規化器９７−ｎから入力される正規化複素復調信号に基づいて、送信アンテナ４−ｎと受信アンテナ６−ｎとの間に人１０１が侵入したときに変化する特徴量ｆ１−ｎを算出する定速運動特徴抽出器９３−ｎと、
（ｂ）正規化器９７−ｎから入力される正規化複素復調信号に基づいて、送信アンテナ４−ｎと受信アンテナ６−ｎとの間の空間が風雨にさらされたときに変化する特徴量ｆ２−ｎを算出する非定速運動特徴抽出器９４−ｎと、
（ｃ）正規化器９７−ｎ−１，ｎ，ｎ＋１から入力される３個の正規化複素復調信号に基づいて、送信アレーアンテナ４と受信アレーアンテナ６との空間のうち、送信アンテナ４−ｎと受信アンテナ６−ｎとの間において、他の空間よりも空間的に孤立した強電界領域が存在するときに変化する特徴量ｆ３−ｎを算出する孤立運動特徴抽出器９５−ｎとを備えたことを特徴としている。
【００１５】
図１において、送信アレーアンテナ４は、所定の間隔で設けられかつＭ個の送信アンテナ４−１〜４−Ｍとしてそれぞれ機能するＭ個のスリットを有する漏洩同軸ケーブル（ＬＣＸ（Ｌｅａｋｙ  Ｃｏａｘｉａｌ  Ｃａｂｌｅ））である。また、受信アレーアンテナ６は、所定の間隔で設けられかつＭ個の受信アンテナ６−１〜６−Ｍとしてそれぞれ機能するＭ個のスリットを有する漏洩同軸ケーブルである。さらに、終端器５は、送信アレーアンテナ４によって放射されずに残った電波を吸収し、終端器７は受信アレーアンテナ６によって受信された電波のうち、無線受信回路８と反対側に進行する電波を吸収する。送信アレーアンテナ４及び受信アレーアンテナ６の各漏洩同軸ケーブルは、各送信アンテナ４−ｍが各受信アンテナ６−ｍにそれぞれ対向するように互いに所定の間隔を有して、所定の警戒領域を囲むように、実質的に平行に敷設される。詳細後述するように、２本の漏洩同軸ケーブル間には電界が形成されており、当該電界の変動に基づいて、２本の漏洩同軸ケーブルを横切って警戒領域に侵入した侵入物（本実施の形態では、図３の人１０１である。）を識別する。なお、本実施形態において、「人１０１の侵入時」とは、人１０１が送信アレーアンテナ４と受信アレーアンテナ６との間に侵入したときを表し、「風雨時」とは、送信アレーアンテナ４と受信アレーアンテナ６との間の空間が風雨にさらされているときを表す。
【００１６】
ここで、送信アンテナ４−１〜４−Ｍの間隔及び受信アンテナ６−１〜６−Ｍの間隔は、送信アレーアンテナ４から放射される電波の波長の半分以上、好ましくは数倍以上に設定される。さらに、送信アレーアンテナ４及び受信アレーアンテナ６の各漏洩同軸ケーブル間の間隔は、各対向する送信アンテナ４−ｍと受信アンテナ６−ｍとの間で無線信号を送受信できるように設定される。
【００１７】
図１において、ＰＮ符号発生器２は、所定のＰＮ符号を発生して乗算器３２及び遅延器８２−１〜８２−Ｍに出力する。また、信号発生器３１は、所定の周波数成分を含む送信信号を発生して乗算器３２及び直交検波器８５−１〜８５−Ｍに出力する。乗算器３２は、信号発生器３１からの送信信号に対してＰＮ符号を乗算することにより、送信信号をスペクトル拡散し、スペクトル拡散後の送信信号を送信アレーアンテナ４を用いて電波として放射する。すなわち、乗算器３２は、ＰＮ符号に従って信号発生器３１からの送信信号を変調する。送信アレーアンテナ４によって放射された電波は、受信アレーアンテナ６によって受信信号として受信され、乗算器８３−１〜８３−Ｍに出力される。
【００１８】
図１において、各遅延器８２−ｍ（ｍ＝１，２，…，Ｍ）は、入力されるＰＮ符号を、当該ＰＮ符号がＰＮ符号発生器２から出力されてから、乗算器３２と、送信アンテナ４−ｍと、受信アンテナ６−ｍとを介して乗算器８３−ｍに出力されるまでの所定の伝搬遅延時間だけ遅延させて、遅延後のＰＮ符号（以下、遅延ＰＮ符号という。）を乗算器８３−ｍに出力する。さらに、各乗算器８３−ｍは、入力される受信信号に対して入力される遅延ＰＮ符号を乗算することにより受信信号を逆拡散して逆拡散受信信号を発生し、帯域通過フィルタ８４−ｍを介して直交検波器８５−ｍに出力する。さらに、各直交検波器８４−ｍは、信号発生器３１からの送信信号を用いて、帯域通過フィルタ８４−ｍからの逆拡散受信信号を、同相成分と直交成分とを有する複素復調信号に直交検波して、低域通過フィルタ８６−ｍを介して侵入物識別回路９に出力する。ここで、各帯域通過フィルタ８４−ｍの通過帯域は、信号発生器３１からの送信信号の周波数成分を通過させるように設定され、各低域通過フィルタ８６−ｍの通過帯域は、入力される複素復調信号に含まれる高調波成分とノイズとを除去するように設定される。
【００１９】
ここで、各受信アンテナ６−ｍ（ｍ＝１，２，…，Ｍ）は、対向する送信アンテナ４−ｍと、その周辺の送信アンテナから放射された各電波を重畳した受信信号を受信する。さらに、この受信信号に対して、乗算器８３−ｍにより、遅延器８２−ｍからの遅延ＰＮ符号信号を乗算する。このため、直交検波器８５−ｍ及びローパスフィルタ８６−ｍを介して出力される複素復調信号は、実質的に、送信アンテナ４−ｍからの送信信号のみを受信アンテナ６−ｍにより受信したときの受信信号を復調した複素復調信号と等しい。
【００２０】
図４は、図１の送信アンテナ４−ｍと受信アンテナ６−ｍとの間に人１０１が侵入したときに、ローパスフィルタ８６−ｍから出力される複素復調信号を複素平面上に示すグラフであり、図５は、図１の送信アンテナ４−ｍと受信アンテナ６−ｍとの間の空間が風雨にさらされたときに、ローパスフィルタ８６−ｍから出力される複素復調信号を複素平面上に示すグラフである。一般に、送信アンテナ４−ｍと受信アンテナ６−ｍとの間に人１０１が侵入しておらず、かつ、送信アンテナ４−ｍと受信アンテナ６−ｍとの間の空間が風雨にさらされていないとき（以下、定常状態という。）は、複素復調信号は、複素平面の原点近傍に集中する。また、図３に示すように、送信アンテナ４−ｍと受信アンテナ６−ｍとの間に人１０１が侵入すると、送信アレーアンテナ４からの電波は、人１０１によって反射及び散乱された後に受信アレーアンテナ６によって受信される。このとき、図４に示すように、送信アンテナ４−ｍ及び受信アンテナ６−ｍに対応するローパスフィルタ８６−ｍから出力される複素復調信号は、複素平面上で原点の回りを一定の角速度で円運動（以下、正則運動ともいう。）するという特徴を有する。さらに、図３に示すように、風雨時には、雨１０２によって、送信アレーアンテナ４と受信アレーアンテナ６との間の電界が乱れる。このとき、図５に示すように、ローパスフィルタ８６−ｍから出力される複素復調信号は、定常状態での複素復調信号及び図４の人１０１の侵入時の複素復調信号に比較して、振幅の変動及び位相の変動が大きい（以下、非正則運動を行う、ともいう。）という特徴を有する。
【００２１】
図２において、侵入物識別回路９は、アナログ／デジタル変換器（以下、Ａ／Ｄ変換器という。）９０−１〜９０−Ｍと、正規化器９７−１〜９７−Ｍと、複数次元特徴抽出器９８−２〜９８−Ｍ−１と、識別器９６−２〜９６−Ｍ−１とを備えて構成される。また、各正規化器９７−ｍは、定常状態推定更新回路９１−ｍと、正規化処理回路９２−ｍとを備えて構成され、各複数次元特徴抽出器９８−ｎ（ｎ＝２，３，…，Ｍ−１）は、定速運動特徴抽出器９３−ｎと、非定速運動特徴抽出器９４−ｎと、孤立運動特徴抽出器９５−ｎとを備えて構成される。各低域通過フィルタ８６−ｍから出力された複素復調信号は、Ａ／Ｄ変換器９０−ｍによって所定のサンプリング周波数でデジタルの複素復調信号ｄｍ（ｋ）に変換された後に（ｋは、サンプリングタイミングを表す整数である。）、定常状態推定更新回路９１−ｍ及び正規化処理回路９２−ｍに出力される。なお、各Ａ／Ｄ変換器９０−ｍにおけるサンプリング周波数は、例えば、１６Ｈｚに設定される。
【００２２】
図２において、各定常状態推定更新回路９１−ｍ（ｍ＝１，２，…，Ｍ）は、サンプリングタイミングｋ毎に、連続する２つのサンプリングタイミングｋ及びｋ−１における２つの複素復調信号ｄｍ（ｋ）及びｄｍ（ｋ−１）の各同相成分の差及び各直交成分の差を算出することにより、複素復調信号の複素平面上での軌跡を表す差分ベクトルを算出する。そして、各定常状態推定更新回路９１−ｍは、算出された差分ベクトルの大きさが所定のしきい値よりも小さいときに、定常状態であると判断し、以下の式を用いて、サンプリングタイミングｋにおける、定常状態における複素復調信号の複素平面上での軌跡の重心位置ｐｍ（ｋ）を算出して、正規化処理回路９２−ｍに出力する。
【００２３】
【数１】
2011102029.tif 000003
【００２４】
ここで、Ｌは、重心位置ｐｍ（ｋ）（ｍ＝１，２，…，Ｍ）を推定するために用いるサンプリング数である。また、各定常状態推定更新回路９１−ｍは、上述した算出された差分ベクトルの大きさが所定のしきい値以上であるときは、非定常状態であると判断し、定常状態での複素復調信号の複素平面上での軌跡の重心位置ｐｍ（ｋ）を更新せずに、１つ前のサンプリングタイミングｋ−１における重心位置ｐｍ（ｋ−１）に設定する。各正規化処理回路９２−ｍは、サンプリングタイミングｋ毎に、定常状態における複素復調信号複素平面上での軌跡の重心位置ｐｍ（ｋ）を基準位置として用いて、入力される複素復調信号ｄｍ（ｋ）の複素平面上における位置の正規化処理を行う。各正規化処理回路９２−ｍから出力される、サンプリングタイミングｋにおける正規化処理後の複素復調信号（以下、正規化複素復調信号という。）ｄａｍ（ｋ）は、以下の式で表される。
【００２５】
【数２】
2011102029.tif 000004
【００２６】
図２において、各サンプリングタイミングｋにおいて、各複数次元特徴抽出器９８−ｎ（ｎ＝２，３，…，Ｍ−１）には、３個の正規化処理回路９２−ｎ−１，９２−ｎ，９２−ｎ＋１からの正規化複素復調信号ｄａｎ−１（ｋ），ｄａｎ（ｋ），ｄａｎ＋１（ｋ）が出力される。
【００２７】
図２において、各定速運動特徴抽出器９３−ｎ（ｎ＝２，３，…，Ｍ−１）は、正規化処理回路９２−ｎからの正規化複素復調信号ｄａｎ（ｋ）に基づいて、以下の式を用いて、特徴量ｆ１−ｎを算出する。
【００２８】
【数３】
2011102029.tif 000005
【００２９】
ここで、ｊは、サンプリングタイミングを表す整数である。図６は、上記式（３）の角速度θｎ（ｊ）と正規化複素復調信号ｄａｎ（ｊ）との関係を示すグラフである。図６に示すように、角速度θｎ（ｊ）は、サンプリングタイミングｊにおける正規化複素復調信号ｄａｎ（ｊ）と、サンプリングタイミングｊ−１における正規化複素復調信号ｄａｎ（ｊ−１）との間の角度である。また、図７は、式（３）の関数Ψ（θｎ（ｊ）−θｎ（ｊ−１））を示すグラフである。図７に示すように、関数Ψは、サンプリングタイミングｊ及びｊ−１における各角速度θｎ（ｊ）及びθｎ（ｊ−１）の差の大きさが０に近いほど大きい値を有するように選択される。関数Ψは、例えば、ガウス関数などの釣鐘型の関数であればよい。さらに、式（３）において、Ｑは、特徴量ｆ１−ｎを算出するために用いる正規化複素復調信号ｄａｎ（ｊ）の総サンプル数であり、人１０１が送信アレーアンテナ４及び受信アレーアンテナ６を横切るために必要とされる時間に対応する値に設定される。図４を参照して説明したように、送信アンテナ４−ｎと受信アンテナ６−ｎとの間に人１０１が侵入したとき、正規化複素復調信号ｄａｎ（ｊ）は、原点の回りを一定の角速度で円を描いて滑らかに変化する「正則運動」を行うという特徴を有する。このため、特徴量ｆ１−ｎは、送信アンテナ４−ｎと受信アンテナ６−ｎとの間に人１０１が侵入したときに最大値を有するように変化する。また、特徴量ｆ１−ｎは、風雨時及び定常状態では、送信アンテナ４−ｎと受信アンテナ６−ｎとの間に人１０１が侵入したときよりも小さい値を有する。
【００３０】
図２において、各非定速運動特徴抽出器９４−ｎ（ｎ＝２，３，…，Ｍ−１）は、正規化処理回路９２−ｎからの正規化複素復調信号ｄａｎ（ｋ）に基づいて、以下の式を用いて、特徴量ｆ２−ｎを算出する。
【００３１】
【数４】
2011102029.tif 000006
【００３２】
図５を参照して説明したように、送信アンテナ４−ｎ（ｎ＝２，３，…，Ｍ−１）と受信アンテナ６−ｎとの間の空間が風雨にさらされたときの複素復調信号は、定常状態での複素復調信号及び送信アンテナ４−２と受信アンテナ６−ｎとの間に人１０１が侵入したときの複素復調信号に比較して、振幅の変化量が大きいという特徴を有する。従って、特徴量ｆ２−ｎは、送信アンテナ４−ｎと受信アンテナ６−ｎとの間の空間が風雨にさらされたときに最大値を有するように変化する。また、特徴量ｆ２−ｎは、送信アンテナ４−ｎと受信アンテナ６−ｎとの間に人１０１が侵入したとき及び定常状態では、風雨時よりも小さい値を有する。
【００３３】
図２において、各孤立特徴抽出器９５−ｎ（ｎ＝２，３，…，Ｍ−１）は、正規化処理回路９２−ｎ−１，９２−ｎ及び９２−ｎ＋１からの、サンプリングタイミングｋにおける正規化複素復調信号ｄａｎ−１（ｋ），ｄａｎ（ｋ）及びｄａｎ＋１（ｋ）に基づいて、以下の式を用いて、特徴量ｆ３−ｎを算出する。
【００３４】
【数５】
2011102029.tif 000007
【００３５】
受信アンテナ６−ｎ（ｎ＝２，３，…，Ｍ−１）によって受信された電波の強度の大きさと、両隣の受信アンテナ６−ｎ−１及び６−ｎ＋１によって受信された電波の強度の大きさとの差が大きくなると、特徴量ｆ３−ｎの値は大きくなる。一般に、送信アレーアンテナ４と受信アレーアンテナ６との間に人１０１が侵入すると、送信アレーアンテナ４と受信アレーアンテナ６との空間内のうち、人１０１の近傍の空間において他の空間よりも孤立した強電界領域が現れ、受信アレーアンテナ６を構成する受信アンテナ６−１〜６−Ｍのうち、人１０１に最も近い１つの受信アンテナに対応する正規化複素復調信号の振幅が、他の受信アンテナに対応する正規化複素復調信号の振幅よりも大きくなる。このため、送信アンテナ４−ｎと受信アンテナ６−ｎとの間に人１０１が侵入したとき、受信アンテナ６−ｎに対応する特徴量ｆ３−ｎは、全ての特徴量ｆ３−２〜ｆ３−Ｍ−１のうちで最大値を有する。また、特徴量ｆ３−ｎは、風雨時及び定常状態では、送信アンテナ４−ｎと受信アンテナ６−ｎとの間に人１０１が侵入したときよりも小さい値を有する。
【００３６】
図２において、各識別器９６−ｎ（ｎ＝２，３，…，Ｍ−１）は、複数次元特徴抽出器９８−ｎにより算出された３次元の特徴量ｆ１−ｎ，ｆ２−ｎ及びｆ３−ｎに基づいて、ＰＫＤＥ（Ｐａｒｚｅｎ  Ｋｅｒｎｅｌ  Ｄｅｎｓｉｔｙ  Ｅｓｔｉｍａｔｉｏｎ：パルツェンカーネル密度推定）アルゴリズム（非特許文献１及び２参照。）を用いて、送信アンテナ４−ｎと受信アンテナ６−ｎとの間に人１０１が侵入したか否かを識別する。ここで、ＰＫＤＥアルゴリズムは、確率密度に基づく識別アルゴリズムであり、学習サンプルデータから各判別事象の確率密度を推定し、確率的に最適な識別面（識別境界ともいう。）Ｐｎを推定し、当該識別面Ｐｎを用いて識別対象のサンプルデータがどの判別事象のサンプルデータであるかを識別する。具体的には、本実施の形態において、侵入物識別装置１の運用前に、各識別器９６−ｎにおいて、送信アンテナ４−ｎと受信アンテナ６−ｎとの間に人１０１が侵入したときの特徴量ｆ１−ｎ，ｆ２−ｎ及びｆ３−ｎと、送信アンテナ４−ｎと受信アンテナ６−ｎとの間の空間が風雨にさらされたときの特徴量ｆ１−ｎ，ｆ２−ｎ及びｆ３−ｎとを取得する。さらに、取得された各特徴量を特徴空間における学習サンプルデータとして用いて、パルツェンカーネル密度推定法によって、３次元の特徴空間において、送信アンテナ４−ｎと受信アンテナ６−ｎとの間に人１０１が侵入したという事象と、送信アンテナ４−ｎと受信アンテナ６−ｎとの間の空間が風雨にさらされたという事象とを識別するための識別面Ｐｎを推定する。そして、侵入物識別装置１の運用中には、各識別器９６−ｎは、推定された識別面Ｐｎを用いて、複数次元特徴抽出器９８−ｎにより算出された特徴量ｆ１−ｎ，ｆ２−ｎ及びｆ３−ｎに基づいて、送信アンテナ４−ｎと受信アンテナ６−ｎとの間に人１０１が侵入したか否かを識別する。
【００３７】
図８は、図２の識別器９６−ｎにおいて用いられる３次元の特徴空間における識別面Ｐｎを示すグラフである。図８に示すように、識別面Ｐｎは、３次元の特徴量ｆ１−ｎ，ｆ２−ｎ，ｆｎ−３の各軸によって形成され、送信アンテナ４−ｎと受信アンテナ６−ｎとの間に人１０１が侵入したという事象と、送信アンテナ４−ｎと受信アンテナ６−ｎとの間の空間が風雨にさらされたという事象とを識別するための境界に対応する曲面である。
【００３８】
図２において、各識別器９６−ｎ（ｎ＝２，３，…，Ｍ−１）は、識別結果を示す識別信号Ｓ９６−ｎを警報装置１０に出力する。さらに、警報装置１０は、スピーカ及びディスプレイ装置を備え、人１０１の侵入を示す少なくとも１つの識別信号Ｓ９６−ｎに応答して、スピーカから所定の警報音を出力し、かつディスプレイ装置上に所定の警告表示を行う。
【００３９】
以上説明したように、本実施の形態によれば、各Ａ／Ｄ変換器９０−ｍ（ｍ＝１，２，…，Ｍ）からの複素復調信号に対して正規化処理を行った後に、正規化処理後の複素復調信号ｄａｍに基づいて、特徴量ｆ１−ｎ，ｆ２−ｎ及びｆ３−ｎ（ｎ＝２，３，Ｍ−１）を算出するので、正規化処理を行わない場合に比較して、環境変動などによる複素復調信号ｄａｍの複素平面上での位置のバラツキの影響を受けずに、人１０１の侵入の識別精度を向上できる。さらに、送信アンテナ４−ｎと受信アンテナ６−ｎとの間に人１０１が侵入したときに変化する特徴量ｆ１−ｎに加えて、送信アンテナ４−ｎと受信アンテナ６−ｎとの間の空間が風雨にさらされたときに変化する特徴量ｆ２−ｎと、送信アレーアンテナ４と受信アレーアンテナ６との間の空間のうち、送信アンテナ４−ｎと受信アンテナ６−ｎとの間の空間において、他の空間よりも空間的に孤立した強電界領域が存在するときに変化する特徴量ｆ３−ｎとを用いて、警戒領域内への人１０１の侵入を識別するので、従来技術に係るしきい値処理を用いる侵入物識別装置に比較して、風雨時の誤発報を低減して、正確に侵入物が侵入したことを識別できる。
【００４０】
なお、上記実施の形態において、侵入物識別装置１は警戒領域内に人１０１が侵入したことを識別したが、本発明はこれに限られず、犬及び猫などの小動物である侵入物が警戒領域内に侵入したことを識別してもよい。
【００４１】
また、車両の移動速度は人１０１の移動速度よりも一定であり、車両の体積は人１０１の体積より大きいので、送信アンテナ４−ｎ（ｎ＝２，３，…，Ｍ−１）及び受信アンテナ６−ｎ近傍を車両が通過したときは、送信アンテナ４−ｎと受信アンテナとの間に人１０１が侵入したときに比較して特徴量ｆ１−ｎの値は大きくなり、特徴量ｆ２−ｎは小さくなる。このため、各識別器９６−ｎにおいて、車両の通過を識別するための識別面をさらに推定して用いることにより、人１０１の識別精度をさらに向上できる。
【００４２】
さらに、各複数次元特徴抽出器９８−ｎ（ｎ＝２，３，…，Ｍ−１）は３次元の特徴量ｆ１−ｎ，ｆ２−ｎ及びｆｎ−３を算出したが、本発明はこれに限らず、２次元以上の複数次元の特徴量を算出すればよい。このとき、好ましくは、上記複数次元の特徴量は、送信アンテナ４−ｎと受信アンテナとの間に人１０１が侵入したときに変化する特徴量ｆ１−ｎを含む。なお、２次元の特徴量を算出して用いる場合、各識別器９６−ｎにおいて用いられる識別面Ｐｎは、２次元の特徴量の各軸によって形成され、送信アンテナ４−ｎと受信アンテナ６−ｎとの間に人１０１が侵入したという事象と、送信アンテナ４−ｎと受信アンテナ６−ｎとの間に人１０１が侵入していないという事象とを識別するための境界に対応する曲線であり、３次元の特徴量を算出する場合、各識別器９６−ｎにおいて用いられる識別面Ｐｎは、３次元の特徴量の各軸によって形成され、送信アンテナ４−ｎと受信アンテナ６−ｎとの間に人１０１が侵入したという事象と、それ以外の少なくとも１つの事象とを識別するための境界に対応する曲面である。
【００４３】
またさらに、各識別器９６−ｎ（ｎ＝２，３，…，Ｍ−１）からの識別信号Ｓ９６−ｎに含まれる識別結果が誤りであった場合には、３次元の特徴量ｆ１−ｎ，ｆ２−ｎ及びｆｎ−３に基づいて識別面Ｐｎを修正するための追加の学習を行ってもよい。これにより、侵入物識別装置１の運用中に識別精度を向上させることができる。
【００４４】
また、各定常状態推定更新回路９１−ｍ（ｍ＝１，２，…，Ｍ）による、定常状態のサンプリングタイミングｋにおける各複素復調信号ｄｍ（ｋ）の複素平面上での軌跡の重心位置ｐｍ（ｋ）の算出方法は、式（１）に示したものに限らない。各定常状態推定更新回路９１−ｍは、人１０１の非侵入時である定常状態における複素復調信号ｄｍ（ｋ）を基準信号として用いて、複素復調信号ｄｍ（ｋ）の複素平面上での位置を正規化すればよい。例えば、各定常状態推定更新回路９１−ｍは、定常状態であるか否かを判定せずに、以下の式を用いてサンプリングタイミングｋにおける重心位置ｐｍ（ｋ）を推定してもよい。
【００４５】
【数６】
2011102029.tif 000008
【００４６】
ここで、εは、０より大きく１より小さい定数であって、好ましくは、０．０１に設定される。式（６）を用いることにより、サンプリングタイミングｋにおける重心位置ｐｍ（ｋ）を算出するためのメモリの使用量を低減できる。また、式（１）を用いる場合には、風雨が継続しているときには、比較的長期間にわたって重心位置ｐｍ（ｋ）が更新されないが、式（６）を用いることにより、連続的な風雨などによって、複素復調信号ｄａｍの波形が不安定な状態が継続したときにも、重心位置ｐｍ（ｋ）を更新できる。
【００４７】
さらに、各定速運動特徴抽出器９３−ｎによる特徴量ｆ１−ｎ（ｎ＝２，３，…，Ｍ−１）の算出方法は、上述した式（３）に限らず、送信アンテナ４−ｎと受信アンテナとの間に人１０１が侵入したときと、しなかったときとで異なるように変化する特徴量であればよい。例えば、特徴量ｆ１−ｎを算出するための関数は、正規化複素復調信号ｄａｎの振幅が所定値以上の一定の値を有し、位相の変化率（複素平面上での角速度）が一定の値を有するときに最大値を有するように設定される。
【００４８】
またさらに、各非定速運動特徴抽出器９４−ｎによる特徴量ｆ２−ｎ（ｎ＝２，３，…，Ｍ−１）の算出方法は、上述した式（４）に限らず、送信アンテナ４−ｎと受信アンテナとの間の空間が風雨にさらされたときと、さらされなかったときとで異なるように変化するに変化する特徴量であればよい。例えば、特徴量ｆ２−ｎを算出するための関数は、正規化複素復調信号ｄａｍの複素平面上での回転方向が反転したとき、及び、角速度が所定値より大きくなったとき、及び振幅の変化率が大きくなったときに、大きい値を有するように設定される。
【００４９】
またさらに、各孤立運動特徴抽出器９５−ｎによる特徴量ｆ３−ｎ（ｎ＝２，３，…，Ｍ−１）の算出方法は、上述した式（５）に限らず、送信アンテナ４−ｎと受信アンテナ６−ｎとの間において、他の空間よりも空間的に孤立した強電界領域が存在するときに変化する特徴量であればよい。例えば、特徴量ｆ３−ｎを算出するための関数は、受信アンテナ６−ｎに対応する正規化複素復調信号ｄａｎと、受信アンテナ６−ｎからの距離が所定値以内の各受信アンテナに対応する正規化複素復調信号との相関が高いほど大きい値を有し、受信アンテナ６−ｎに対応する正規化複素復調信号ｄａｎと、受信アンテナ６−ｎからの距離が所定値より大きい受信アンテナに対応する正規化複素復調信号との相関が高いほど小さい値を有するように設定される。すなわち、孤立運動特徴抽出器９５−ｎは、正規化複素復調信号ｄａｎを含む複数の正規化複素復調信号に基づいて、送信アンテナ４−ｎと受信アンテナ６−ｎとの間において、他の空間よりも空間的に孤立した強電界領域が存在するときと、存在しないときとで異なるように変化する特徴量を算出すればよい。
【００５０】
また、侵入物識別装置１は、Ｍ個の正規化器９７−１〜９７−Ｍと、Ｍ−２個の複数次元特徴抽出器９８−２〜９８−Ｍ−１と、Ｍ−２個の複数次元特徴抽出器９８−２〜９８−Ｍ−１とを備えて構成されたが、本発明はこれに限らず、例えば、図２の１個の正規化器９７−２と、１個の複数次元特徴抽出器９８−２と、１個の識別器９６−２とを備えて構成されてもよい。この場合、送信アレーアンテナ４に代えて、単体の送信アンテナを用い、受信アレーアンテナに代えて、単体の受信アンテナを用いる。そして、乗算器３２は、信号発生器３１によって発生された送信信号を、単体の送信アンテナを用いて電波として放射する。さらに、単体の送信アンテナによって放射された電波は、単体の受信アンテナによって受信信号として受信されて、直交検波器８５−２に出力される。直交検波器８４−２は、信号発生器３１からの送信信号を用いて、受信信号を、同相成分と直交成分とを有する複素復調信号に直交検波して、低域通過フィルタ８６−２と、Ａ／Ｄ変換器９０−２と、正規化器９７−２とを介して特徴抽出器９６−２に出力する。
【００５１】
この場合、特徴抽出器９６−２は、送信アンテナ４−２と受信アンテナ６−２との間に人１０１が侵入したときに変化する第１の特徴量ｆ１−２と、送信アンテナ４−２と受信アンテナ６−２との間の空間が風雨にさらされたときに変化する第２の特徴量ｆ２−２とを算出して、識別器９６−２に出力する。さらに、識別器９６−２は、２次元の特徴量ｆ１−２及びｆ２−２に基づいて、２次元の識別面Ｐ２を用いて、送信アンテナ４−２と受信アンテナ６−２との間に人１０１が侵入したか否かを判別する。
【００５２】
さらに、上記実施形態において、図１の無線送信回路３は、信号発生器３１によって発生された送信信号をＰＮ符号を用いてスペクトル拡散し、Ｍ個の送信アンテナ４−１〜４−Ｍを備えた送信アレーアンテナ４を用いて無線送信したが、本発明はこれに限られない。無線送信回路３は、信号発生器３１によって発生された送信信号に従って、所定の搬送波信号を所定の変調方式で変調して、上記送信アンテナ４−１〜４−Ｍを用いて無線送信してもよい。このとき、無線受信回路８は、送信アンテナ４−１〜４−Ｍから送信された送信信号を、受信アンテナ６−１〜６−Ｍを用いてそれぞれ無線受信し、上記無線受信した各受信信号を、無線送信回路３で用いられた変調方式に対応する復調方式を用いて複数の複素復調信号に復調して、侵入物識別回路９に出力する。
【産業上の利用可能性】
【００５３】
以上説明したように、本発明に係る侵入物識別装置によれば、送信アンテナ装置と受信アンテナ装置との間に侵入物が侵入していない定常状態における複素復調信号を用いて、入力される複素復調信号の複素平面上の位置を正規化して正規化複素復調信号を発生する正規化手段と、正規化された複素復調信号の複数次元の特徴量を抽出する複数次元特徴抽出手段とを備えたので、従来技術に係るしきい値処理を用いる侵入物識別装置に比較して、誤発報を低減して、正確に侵入物が侵入したことを識別できる。
【符号の説明】
【００５４】
１  侵入物識別装置、２  ＰＮ符号発生器、３  無線送信回路、４  送信アレーアンテナ、５  終端器、６  受信アレーアンテナ、７  終端器、８  無線受信回路、９  侵入物識別回路、１０  警報装置、４−１〜４−Ｍ  送信アンテナ、６−１〜６−Ｍ  受信アンテナ、３１  信号発生器、３２  乗算器、８２−１〜８２−Ｍ  遅延器、８３−１〜８３−Ｍ  乗算器、８４−１〜８４−Ｍ  帯域通過フィルタ、８５−１〜８５−Ｍ  直交検波器、８６−１〜８６−Ｍ  低域通過フィルタ、８７−１〜８７−Ｍ  復調回路、９０−１〜９０−Ｍ  Ａ／Ｄ変換器、９１−１〜９１−Ｍ  定常状態推定更新回路、９２−１〜９２−Ｍ  正規化処理回路、９３−２〜９３−Ｍ−１  定速運動特徴抽出器、９４−２〜９４−Ｍ−１  非定速運動特徴抽出器、９５−２〜９５−Ｍ−１  孤立運動特徴抽出器、９６−２〜９６−Ｍ−１  識別器、９７−１〜９７−Ｍ  正規化器、９８−２〜９８−Ｍ−１  複数次元特徴抽出器、１０１  人、１０２  雨。
【図１】
2011102029.tif 000009
【図２】
2011102029.tif 000010
【図３】
2011102029.tif 000011
【図４】
2011102029.tif 000012
【図５】
2011102029.tif 000013
【図６】
2011102029.tif 000014
【図７】
2011102029.tif 000015
【図８】
2011102029.tif 000016
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
所定の送信信号を発生して、送信アンテナ装置を用いて無線送信する送信手段と、
上記送信された送信信号を、上記送信アンテナ装置に対向して設けられた受信アンテナ装置を用いて無線受信し、上記無線受信した受信信号を、上記送信信号を用いて直交検波して複素復調信号に復調する受信手段とを備えた侵入物識別装置において、
上記送信アンテナ装置と上記受信アンテナ装置との間に侵入物が侵入していない定常状態における複素復調信号を用いて、入力される複素復調信号の複素平面上の位置を正規化して正規化複素復調信号を発生する正規化手段と、
上記正規化複素復調信号の複数次元の特徴量を算出する複数次元特徴抽出手段と、
上記算出された複数次元の特徴量に基づいて、上記送信アンテナ装置と上記受信アンテナ装置との間に侵入物が侵入したか否かを、上記複数次元の特徴量の各軸により形成されかつ上記送信アンテナ装置と上記受信アンテナ装置との間に侵入物が侵入したか否かを識別するための境界である所定の識別面を用いて識別し、当該識別結果を示す識別信号を出力する識別手段とを備えた侵入物識別装置であって、
上記送信アンテナ装置は、３個以上の複数の送信アンテナを備え、
上記受信アンテナ装置は、３個以上の複数の受信アンテナを備え、
上記送信手段は、上記送信信号を上記複数の送信アンテナを用いて無線送信し、
上記受信手段は、上記複数の送信アンテナから送信された送信信号を上記複数の受信アンテナを用いてそれぞれ無線受信し、上記無線受信した各受信信号を複数の複素復調信号に復調し、
上記侵入物識別装置は、
上記複数の複素復調信号をそれぞれ入力する複数の上記正規化手段と、
上記複数の正規化手段のうちの所定の複数の正規化手段からの複数の上記正規化複素復調信号を入力する複数の上記複数次元特徴抽出手段と、
上記複数の複数次元特徴抽出手段からの上記複数次元の特徴量をそれぞれ入力する複数の上記識別手段とを備え、
上記各複数次元特徴抽出手段は、
上記入力された複数の正規化複素復調信号のうちの所定の１つの正規化複素復調信号に基づいて、当該所定の１つの正規化複素復調信号に対応する送信アンテナと受信アンテナとの間に侵入物が侵入したときに変化する第１の特徴量を算出する第１の特徴抽出手段と、
上記所定の１つの正規化複素復調信号に基づいて、上記所定の１つの正規化複素復調信号に対応する送信アンテナと受信アンテナとの間の空間が風雨にさらされたときに変化する第２の特徴量を算出する第２の特徴抽出手段と、
上記入力された複数の正規化複素復調信号に基づいて、上記複数の送信アンテナと上記複数の受信アンテナとの間の空間のうち、上記所定の１つの正規化複素復調信号に対応する送信アンテナと受信アンテナとの間の空間において、上記侵入物の近傍において他の空間よりも空間的に孤立した強電界領域が存在するときに変化する第３の特徴量を算出する第３の特徴抽出手段とを備え、
上記各識別手段は、上記算出された第１乃至第３の特徴量に基づいて、上記所定の１つの正規化複素復調信号に対応する送信アンテナと受信アンテナとの間に侵入物が侵入したか否かを識別することを特徴とする侵入物識別装置。
【請求項２】
上記送信手段は、上記送信信号を擬似雑音符号を用いてスペクトル拡散して上記複数の送信アンテナを用いて無線送信し、
上記受信手段は、上記擬似雑音符号を互いに異なる複数の遅延時間だけ遅延させて複数の遅延擬似雑音符号を発生し、上記無線受信した各受信信号を上記複数の遅延擬似雑音符号を用いてそれぞれ逆拡散して複数の逆拡散受信信号を発生し、上記各逆拡散受信信号を上記送信信号を用いて直交検波して上記複数の複素復調信号に復調することを特徴とする請求項１記載の侵入物識別装置。
【請求項３】
上記送信アンテナ装置は第１の漏洩同軸ケーブルであり、
上記受信アンテナ装置は第２の漏洩同軸ケーブルであることを特徴とする請求項１又は２記載の侵入物識別装置。
【手続補正２】
【補正対象書類名】明細書
【補正対象項目名】０００９
【補正方法】変更
【補正の内容】
【０００９】
本発明に係る侵入物識別装置は、所定の送信信号を発生して、送信アンテナ装置を用いて無線送信する送信手段と、上記送信された送信信号を、上記送信アンテナ装置に対向して設けられた受信アンテナ装置を用いて無線受信し、上記無線受信した受信信号を、上記送信信号を用いて直交検波して複素復調信号に復調する受信手段とを備えた侵入物識別装置において、上記送信アンテナ装置と上記受信アンテナ装置との間に侵入物が侵入していない定常状態における複素復調信号を用いて、入力される複素復調信号の複素平面上の位置を正規化して正規化複素復調信号を発生する正規化手段と、上記正規化複素復調信号の複数次元の特徴量を算出する複数次元特徴抽出手段と、上記算出された複数次元の特徴量に基づいて、上記送信アンテナ装置と上記受信アンテナ装置との間に侵入物が侵入したか否かを、上記複数次元の特徴量の各軸により形成されかつ上記送信アンテナ装置と上記受信アンテナ装置との間に侵入物が侵入したか否かを識別するための境界である所定の識別面を用いて識別し、当該識別結果を示す識別信号を出力する識別手段とを備えた侵入物識別装置である。ここで、上記送信アンテナ装置は、３個以上の複数の送信アンテナを備え、上記受信アンテナ装置は、３個以上の複数の受信アンテナを備え、上記送信手段は、上記送信信号を上記複数の送信アンテナを用いて無線送信し、上記受信手段は、上記複数の送信アンテナから送信された送信信号を上記複数の受信アンテナを用いてそれぞれ無線受信し、上記無線受信した各受信信号を複数の複素復調信号に復調し、上記侵入物識別装置は、上記複数の複素復調信号をそれぞれ入力する複数の上記正規化手段と、上記複数の正規化手段のうちの所定の複数の正規化手段からの複数の上記正規化複素復調信号を入力する複数の上記複数次元特徴抽出手段と、上記複数の複数次元特徴抽出手段からの上記複数次元の特徴量をそれぞれ入力する複数の上記識別手段とを備え、上記各複数次元特徴抽出手段は、上記入力された複数の正規化複素復調信号のうちの所定の１つの正規化複素復調信号に基づいて、当該所定の１つの正規化複素復調信号に対応する送信アンテナと受信アンテナとの間に侵入物が侵入したときに変化する第１の特徴量を算出する第１の特徴抽出手段と、上記所定の１つの正規化複素復調信号に基づいて、上記所定の１つの正規化複素復調信号に対応する送信アンテナと受信アンテナとの間の空間が風雨にさらされたときに変化する第２の特徴量を算出する第２の特徴抽出手段と、上記入力された複数の正規化複素復調信号に基づいて、上記複数の送信アンテナと上記複数の受信アンテナとの間の空間のうち、上記所定の１つの正規化複素復調信号に対応する送信アンテナと受信アンテナとの間の空間において、上記侵入物の近傍において他の空間よりも空間的に孤立した強電界領域が存在するときに変化する第３の特徴量を算出する第３の特徴抽出手段とを備え、上記各識別手段は、上記算出された第１乃至第３の特徴量に基づいて、上記所定の１つの正規化複素復調信号に対応する送信アンテナと受信アンテナとの間に侵入物が侵入したか否かを識別することを特徴とする。
【手続補正３】
【補正対象書類名】明細書
【補正対象項目名】００１８
【補正方法】変更
【補正の内容】
【００１８】
図１において、各遅延器８２−ｍ（ｍ＝１，２，…，Ｍ）は、入力されるＰＮ符号を、当該ＰＮ符号がＰＮ符号発生器２から出力されてから、乗算器３２と、送信アンテナ４−ｍと、受信アンテナ６−ｍとを介して乗算器８３−ｍに出力されるまでの所定の伝搬遅延時間だけ遅延させて、遅延後のＰＮ符号（以下、遅延ＰＮ符号という。）を乗算器８３−ｍに出力する。さらに、各乗算器８３−ｍは、入力される受信信号に対して入力される遅延ＰＮ符号を乗算することにより受信信号を逆拡散して逆拡散受信信号を発生し、帯域通過フィルタ８４−ｍを介して直交検波器８５−ｍに出力する。さらに、各直交検波器８５−ｍは、信号発生器３１からの送信信号を用いて、帯域通過フィルタ８４−ｍからの逆拡散受信信号を、同相成分と直交成分とを有する複素復調信号に直交検波して、低域通過フィルタ８６−ｍを介して侵入物識別回路９に出力する。ここで、各帯域通過フィルタ８４−ｍの通過帯域は、信号発生器３１からの送信信号の周波数成分を通過させるように設定され、各低域通過フィルタ８６−ｍの通過帯域は、入力される複素復調信号に含まれる高調波成分とノイズとを除去するように設定される。
【手続補正４】
【補正対象書類名】明細書
【補正対象項目名】００３７
【補正方法】変更
【補正の内容】
【００３７】
図８は、図２の識別器９６−ｎにおいて用いられる３次元の特徴空間における識別面Ｐｎを示すグラフである。図８に示すように、識別面Ｐｎは、３次元の特徴量ｆ１−ｎ，ｆ２−ｎ，ｆ３−ｎの各軸によって形成され、送信アンテナ４−ｎと受信アンテナ６−ｎとの間に人１０１が侵入したという事象と、送信アンテナ４−ｎと受信アンテナ６−ｎとの間の空間が風雨にさらされたという事象とを識別するための境界に対応する曲面である。
【手続補正５】
【補正対象書類名】明細書
【補正対象項目名】００３９
【補正方法】変更
【補正の内容】
【００３９】
以上説明したように、本実施の形態によれば、各Ａ／Ｄ変換器９０−ｍ（ｍ＝１，２，…，Ｍ）からの複素復調信号に対して正規化処理を行った後に、正規化処理後の複素復調信号ｄａｍに基づいて、特徴量ｆ１−ｎ，ｆ２−ｎ及びｆ３−ｎ（ｎ＝２，３，…，Ｍ−１）を算出するので、正規化処理を行わない場合に比較して、環境変動などによる複素復調信号ｄａｍの複素平面上での位置のバラツキの影響を受けずに、人１０１の侵入の識別精度を向上できる。さらに、送信アンテナ４−ｎと受信アンテナ６−ｎとの間に人１０１が侵入したときに変化する特徴量ｆ１−ｎに加えて、送信アンテナ４−ｎと受信アンテナ６−ｎとの間の空間が風雨にさらされたときに変化する特徴量ｆ２−ｎと、送信アレーアンテナ４と受信アレーアンテナ６との間の空間のうち、送信アンテナ４−ｎと受信アンテナ６−ｎとの間の空間において、他の空間よりも空間的に孤立した強電界領域が存在するときに変化する特徴量ｆ３−ｎとを用いて、警戒領域内への人１０１の侵入を識別するので、従来技術に係るしきい値処理を用いる侵入物識別装置に比較して、風雨時の誤発報を低減して、正確に侵入物が侵入したことを識別できる。
【手続補正６】
【補正対象書類名】明細書
【補正対象項目名】００４７
【補正方法】変更
【補正の内容】
【００４７】
さらに、各定速運動特徴抽出器９３−ｎによる特徴量ｆ１−ｎ（ｎ＝２，３，…，Ｍ−１）の算出方法は、上述した式（３）に限らず、送信アンテナ４−ｎと受信アンテナ６−ｎとの間に人１０１が侵入したときと、しなかったときとで異なるように変化する特徴量であればよい。例えば、特徴量ｆ１−ｎを算出するための関数は、正規化複素復調信号ｄａｎの振幅が所定値以上の一定の値を有し、位相の変化率（複素平面上での角速度）が一定の値を有するときに最大値を有するように設定される。
【手続補正７】
【補正対象書類名】明細書
【補正対象項目名】００５０
【補正方法】変更
【補正の内容】
【００５０】
また、侵入物識別装置１は、Ｍ個の正規化器９７−１〜９７−Ｍと、Ｍ−２個の識別器９６−２〜９６−Ｍ−１と、Ｍ−２個の複数次元特徴抽出器９８−２〜９８−Ｍ−１とを備えて構成されたが、本発明はこれに限らず、例えば、図２の１個の正規化器９７−２と、１個の複数次元特徴抽出器９８−２と、１個の識別器９６−２とを備えて構成されてもよい。この場合、送信アレーアンテナ４に代えて、単体の送信アンテナを用い、受信アレーアンテナに代えて、単体の受信アンテナを用いる。そして、乗算器３２は、信号発生器３１によって発生された送信信号を、単体の送信アンテナを用いて電波として放射する。さらに、単体の送信アンテナによって放射された電波は、単体の受信アンテナによって受信信号として受信されて、直交検波器８５−２に出力される。直交検波器８４−２は、信号発生器３１からの送信信号を用いて、受信信号を、同相成分と直交成分とを有する複素復調信号に直交検波して、低域通過フィルタ８６−２と、Ａ／Ｄ変換器９０−２と、正規化器９７−２とを介して特徴抽出器９６−２に出力する。
【手続補正８】
【補正対象書類名】図面
【補正対象項目名】図２
【補正方法】変更
【補正の内容】
【図２】
2011102029.tif 000017
【手続補正９】
【補正対象書類名】図面
【補正対象項目名】図６
【補正方法】変更
【補正の内容】
【図６】
2011102029.tif 000018
【国際調査報告】
2011102029.tif 000019
2011102029.tif 000020
2011102029.tif 000021
2011102029.tif 000022